(57)【要約】【課題】  樹脂の使用量を少なくした合成樹脂製割り箸を箸の切り離しや使用感に悪影響を及ばさずに提供する。【解決手段】  一対の箸１、１を左右に並べて連結体１１により連結した状態で合成樹脂により成形される割り箸において、食品を摘むための箸の前方箇所２を除いた箸の後方箇所を、左右の側板３Ａ、３Ｂとこれを繋ぐ中間の水平連結板４からなる断面エ字状に形成すると共に、水平連結板の上下と左右の側板を繋ぐ堰状の補強リブ５を複数箇所に配し、上記補強リブ箇所を跨いだ側板の前後箇所に２つの連結体１１、１１を近接して設ける。【選択図】      図１
0003155071.tif 000002
【実用新案登録請求の範囲】
【請求項１】
一対の箸を左右に並べて連結体により連結した状態で合成樹脂により成形される割り箸において、食品を摘むための箸の前方箇所を除いた箸の後方箇所を、左右の側板とこれを繋ぐ中間の水平連結板からなる断面エ字状に形成すると共に、水平連結板の上下と左右の側板を繋ぐ堰状の補強リブを複数箇所に配し、上記補強リブ箇所を跨いだ側板の前後箇所に２つの連結体を近接して設けたことを特徴とする合成樹脂製割り箸。
【請求項２】
側板の前後方向にカマボコ状に隆起した連結基部を各箸の対向する側板表面に設けると共に、相対向する上記連結基部の頂上同士を湾曲方向に幅狭となる細長体により連結することにより、上記細長体を割り箸の切り離し時に破壊される連結体とした請求項１記載の合成樹脂製割り箸。
【考案の詳細な説明】
【技術分野】
【０００１】
この考案は合成樹脂により成形される割り箸に関する。
【背景技術】
【０００２】
コンビニエンスストアやスーパーマーケットなどの店頭で弁当やカップ麺などの包装容器入り食品とともに、割り箸が提供されている。割り箸は使い捨てを前提とした木製のものが一般的であったが、地球環境を考慮した木材資源の保護のために、プラスチックなどの合成樹脂により成形されたものが普及しつつある。
【０００３】
この種の割り箸としては、一対の箸を左右に並べて連結体により連結した状態で一体に成形されるものが一般的であった。
【先行技術文献】
【特許文献】
【０００４】
【特許文献１】実用新案登録第３１２８１５４号公報
【特許文献２】特開２００９−１０１０４２号公報
【考案の概要】
【考案が解決しようとする課題】
【０００５】
前記のように包装容器入り食品とともに使い捨て用として提供される合成樹脂製の箸の場合は、製造コストを押さえるために箸に使用する樹脂量は少ないことが望ましい。
【０００６】
また、包装容器入り食品とともに使い捨て用として提供される関係から、消費者にバージンシール的な印象を与えるよう箸は最初から分離したものでなく、消費者自らが分離する割り箸が望ましく、また、輸送や商品管理の観点からもまとまりがよい割り箸が望ましい。
【０００７】
前者において、一般に樹脂製品において樹脂量を少なくするために製品に空洞部や溝部を設けることは慣用技術であり、これを箸に適用して箸に空洞部や溝部を設けることにより使用する樹脂の絶対量を減らすことを想到すること自体にはさほどの困難性はない（特許文献２）。
【０００８】
一般的に、箸に空洞部や溝部を設けた場合、残余の部分が薄肉となって強度が弱まる。一方、前記したように剛性樹脂製の箸は割り箸形式とすることが望ましく、そうした場合は強度が弱まることから次の問題が顕在化することとなる。
【０００９】
木製の割り箸の場合は一対の箸をスリットを介して途中まで分離し、残余のスリットの存しない連結部を引き裂くことにより２つの箸に切り離すが、連結部は木目に沿って配されるので、箸の他の部分に影響を与えずに切り離しはスムーズに行われ、切り離し部分の痕跡も生じない。
【００１０】
しかしながら、合成樹脂製の割り箸の場合は、左右に並べた一対の箸を強圧力により引き離すことによりこれらと一体に成形された連結体を破壊するので、連結体が設けられる箸の部分が薄肉となり強度が弱まっているとこの部分までつられて破壊されてしまうおそれがあった。そして、この場合、箸が不規則に破壊される結果、その部分が鋭利な割れ目やささくれとなって残り、使用にあたり危険が生じることもあった。また、仮に箸本体に影響を及ばさない場合でも、連結部を支える箸の部分の剛性が弱まっていることから、連結部が綺麗に破壊されず凸状の痕跡として残り、箸の使用にあたってこれが手先に当たり違和感を感じることもある。
【課題を解決するための手段】
【００１１】
この考案は以上の従来技術の問題点に鑑みて創作されたものであり、樹脂の使用量を少なくした割り箸を箸の切り離しや使用感に悪影響を及ばさずに提供することを目的とする。すなわち、この考案の合成樹脂製割り箸は一対の箸を左右に並べて連結体により連結した状態で合成樹脂により成形される割り箸において、食品を摘むための箸の前方箇所を除いた箸の後方箇所を、左右の側板とこれを繋ぐ中間の水平連結板からなる断面エ字状に形成すると共に、水平連結板の上下と左右の側板を繋ぐ堰状の補強リブを複数箇所に配し、上記補強リブ箇所を跨いだ側板の前後箇所に２つの連結体を近接して設けたことを特徴とする。
【００１２】
また、ここでは第２考案として前記の合成樹脂製割り箸において、側板の前後方向にカマボコ状に隆起した連結基部を各箸の対向する側板表面に設けると共に、相対向する上記連結基部の頂上同士を湾曲方向に幅狭となる細長体により連結することにより、上記細長体を割り箸の切り離し時に破壊される連結体とした合成樹脂製割り箸も開示する。
【考案の効果】
【００１３】
以上の構成よりなるこの考案の合成樹脂製割り箸によれば第１に食品を摘むための箸の前方箇所を除いた箸の後方箇所を、左右の側板とこれを繋ぐ中間の水平連結板からなる断面エ字状に形成することにより箸に空隙部分が生じさせているので、樹脂の使用量を大幅に軽減することが可能となり原料コストを低くできる効果を生じる。
【００１４】
この場合、箸の左右の側板は薄肉となるが、この考案においては水平連結板の上下と左右の側板を繋ぐ堰状の補強リブを複数箇所に配し、箸同士を繋ぐ連結部を上記補強リブ箇所を跨いだ側板の前後の２箇所に分散するとともに近接して設けているので、第１に１箇所あたりの連結部の破壊強度を低めに設定できる。第２にこれらの連結部が配される側板は中間に補強リブを跨ぐので強度と剛性が高まっており、一対の箸を強圧力により引き離す場合に側板がつられて破壊されることがなく、また、側板がつられて撓むことがないので連結部は綺麗に破壊されて凸状の痕跡が残るおそれもない。
【００１５】
一方、この考案の割り箸は左右の側板を有するので、溝が周側４箇所前面に露出する特許文献２記載の箸と異なり、持った際に手先に違和感がなく通常の箸と同じ感覚で使用することができる。
【００１６】
また、第２考案によれば連結体は側板から隆起した連結基部を介して設けられるので破壊時に側板に与える影響はより少なくなり、さらに連結基部は側板の前後方向にカマボコ状に隆起した形状に構成されるので、それが隆起していても使用時に手先に違和感を与えることがない。
【図面の簡単な説明】
【００１７】
【図１】この考案の合成樹脂製割り箸の平面図。
【図２】この考案の合成樹脂製割り箸の要部の斜視図。
【図３】同上、要部の平面図。
【図４】同上、要部の一部切り欠き斜視図。
【図５】同上、切り離し状態を示す要部の一部切り欠き斜視図。
【図６】この考案の合成樹脂製割り箸の底面図。
【図７】同上、断面図。
【図８】同上、側面図。
【考案を実施するための形態】
【００１８】
以下、この考案の合成樹脂製割り箸の実施例を添付図面に基づいて説明する。この割り箸は一対の箸１、１を左右に並べて連結体１１により連結した状態で合成樹脂により一体成形される。合成樹脂としてこの実施例ではポリプロピレン、ポリエチレン、ポリカーボネイトなどのプラスチックを想定しているが、素材はこれらに限られないことはもちろんである。
【００１９】
図中符号２は食品を摘むための箸の前方箇所であるが、この箇所は無垢に成形され、この箇所を除いた箸の後方箇所を、左右の側板３Ａ、３Ｂとこれを繋ぐ中間の水平連結板４からなる断面エ字状に形成する。一方、上記水平連結板４の上下と左右の側板３Ａ、３Ｂを繋ぐ堰状の補強リブ５が複数箇所に配される（ここでは３箇所）。
【００２０】
図中符号１１は２本の箸１、１を繋ぐ連結体である（図３〜５参照）。この連結体１１は連結基部１０、１０を介して各箸の内側に位置する側板３Ｂに連続する。上記連結基部１０、１０は側板３Ｂの前後方向にカマボコ状に隆起した形状に設けられ、相対向する上記連結基部の頂上同士を湾曲方向に幅狭となる細長体からなる連結体１１が繋ぐ。
【００２１】
以上の連結体１１は箸１の後端近くに位置する補強リブ５箇所を跨いだ側板３Ｂの前後箇所に２つ設けられる。
【符号の説明】
【００２２】
１                箸
３Ａ、３Ｂ        側板
４                水平連結板
５                補強板
１０              連結基部
１１              連結体
【図１】
0003155071.tif 000003
【図２】
0003155071.tif 000004
【図３】
0003155071.tif 000005
【図４】
0003155071.tif 000006
【図５】
0003155071.tif 000007
【図６】
0003155071.tif 000008
【図７】
0003155071.tif 000009
【図８】
0003155071.tif 000010